(57)【要約】  フレキシブル・ディスプレイ（３８）と、このフレキシブル・ディスプレイ（３８）に動作可能に連結されたスプレッダ機構体（５０）であって開位置でこのスプレッダ機構体（５０）を保持するためのラッチ・アッセンブリ（３６）を有するスプレッダ機構体（５０）と、加速度信号を発生させる加速度センサと、加速度信号が所定の加速度限度を超えるとき加速度信号に応じて閉信号を発生させる加速度プロセッサとを含む自動閉鎖可能なフレキシブル・ディスプレイ装置である。ラッチ・アッセンブリ（３６）は、閉信号に応じてスプレッダ機構体（５０）を開位置から解放する。
2009541791.tif 000002
【特許請求の範囲】
【請求項１】
フレキシブル・ディスプレイ３８と、
前記フレキシブル・ディスプレイ３８に動作可能に連結されたスプレッダ機構体５０であって開位置で前記スプレッダ機構体５０を保持するためのラッチ・アッセンブリ３６を有する前記スプレッダ機構体５０と、
加速度信号を発生させる加速度センサと、
前記加速度信号が所定の加速度限度を超えるとき、前記加速度信号に応じて閉信号を発生させる加速度プロセッサと
を備え、
前記ラッチ・アッセンブリ３６が、前記閉信号に応じて前記スプレッダ機構体５０を前記開位置から解放するフレキシブル・ディスプレイ装置。
【請求項２】
前記フレキシブル・ディスプレイ３８が、閉位置に向かって前記スプレッダ機構体５０を促すために張力を受けている請求項１に記載の装置。
【請求項３】
前記ラッチ・アッセンブリ３６が受動的である請求項１に記載の装置。
【請求項４】
前記ラッチ・アッセンブリ３６が、
前記スプレッダ機構体５０に動作可能に連結されたスプレッダ・レバー６０と、
磁石磁界を有する磁石６２であって、前記スプレッダ・レバー６０を引き寄せ、前記開位置で前記スプレッダ機構体５０にラッチをかけるために配置される磁石６２と、
前記閉信号を受けるために動作可能なコイル６４であって、前記閉信号に応じてコイル磁界を生成するコイル６４と、
を備え、
前記コイル磁界が、前記コイル６４が前記閉信号を受信するときに、前記磁石６２から前記スプレッダ・レバー６０を解放するために前記磁石磁界を相殺する請求項１に記載の装置。
【請求項５】
前記スプレッダ・レバー６０が、前記スプレッダ機構体５０を前記開位置から解放するために手動で動作可能である請求項４に記載の装置。
【請求項６】
前記ラッチ・アッセンブリ３６が、
前記スプレッダ機構体５０に動作可能に連結されたスプレッダ・レバー６０と、
ラッチをかけた位置で前記スプレッダ・レバー６０と係合するために動作可能な伝達レバー９０と、
ソレノイド・コイル８２およびソレノイド・プランジャ８４を有し、前記閉信号に応じて前記ソレノイド・プランジャ８４を移動させるために動作可能なソレノイド８０と
を備え、
前記ソレノイド・プランジャ８４が、前記ソレノイド・コイル８２が前記閉信号を受信すると、前記伝達レバー９０から前記スプレッダ・レバー６０を解放するために前記ラッチをかけた位置から前記伝達レバー９０を移動させる請求項１に記載の装置。
【請求項７】
前記ラッチをかけた位置に向かって前記伝達レバー９０を付勢するばね８６をさらに備える請求項６に記載の装置。
【請求項８】
前記スプレッダ・レバー６０が、前記スプレッダ機構体５０を前記開位置から解放するために手動で動作可能である請求項６に記載の装置。
【請求項９】
ボタンを押すことに応じて前記ラッチ・アッセンブリ３６に前記閉信号を与えるために動作可能に連結されたスイッチをさらに備える請求項１に記載の装置。
【請求項１０】
開位置と閉位置とを有するフレキシブル・ディスプレイ装置を自動で閉めるための方法であって、
前記フレキシブル・ディスプレイ装置の加速度を計測することと、
前記加速度が所定の最小加速度限度を超えるかどうかを判定することと、
前記加速度が前記所定の最小加速度限度を超えるとき、前記フレキシブル・ディスプレイ装置を前記開位置から解放することと
を含む方法。
【請求項１１】
前記加速度が所定の最大加速度限度を超えるかどうかを判定することと、
前記加速度が前記所定の最大加速度限度を超えるとき、前記フレキシブル・ディスプレイ装置を前記開位置から前記解放することを抑止することと
をさらに含む請求項１０に記載の方法。
【請求項１２】
加速度を前記計測することがインターバルを置いて加速度を計測することを含み、前記判定することが、前記加速度が所定の数の前記インターバルの間に所定の最小加速度限度を超えるかどうかを判定することを含む請求項１０に記載の方法。
【請求項１３】
加速度を前記計測することが、前記フレキシブル・ディスプレイ装置が前記閉位置にないとき、前記フレキシブル・ディスプレイ装置の加速度を計測することを含む請求項１０に記載の方法。
【請求項１４】
前記解放することが、前記フレキシブル・ディスプレイ装置が前記開位置にあるかどうかを判定することと、前記加速度が前記所定の最小加速度限度を超え、前記フレキシブル・ディスプレイ装置が前記開位置にあるとき、前記フレキシブル・ディスプレイ装置を前記開位置から解放することとを含む請求項１０に記載の方法。
【請求項１５】
前記フレキシブル・ディスプレイ装置を前記開位置から手動で解放することをさらに含む請求項１０に記載の方法。
【請求項１６】
前記閉信号を発生させて前記フレキシブル・ディスプレイ装置を前記開位置から解放するためにボタンを押すことをさらに含む請求項１０に記載の方法。
【請求項１７】
フレキシブル・ディスプレイ展開手段を有し、前記展開手段が開位置および閉位置を有するフレキシブル・ディスプレイ装置と、
前記フレキシブル・ディスプレイ装置の加速度を計測するための手段と、
前記加速度が所定の最小加速度限度を超えるかどうかを判定するための手段と、
前記加速度が前記所定の最小加速度限度を超えるとき、前記展開手段を前記開位置から解放するための手段と
を備えるフレキシブル・ディスプレイ装置システム。
【請求項１８】
前記加速度が所定の最大加速度限度を超えるかどうかを判定するための手段と、
前記加速度が前記所定の最大加速度限度を超えるとき、前記展開手段を前記開位置から前記解放することを抑止するための手段と
をさらに備える請求項１７に記載のシステム。
【請求項１９】
加速度を前記計測するための手段が、インターバルを置いて加速度を計測するための手段を備え、前記判定するための手段が、前記加速度が所定の数の前記インターバルの間に所定の最小加速度限度を超えるかどうかを判定するための手段を備える請求項１７に記載のシステム。
【請求項２０】
加速度を前記計測するための手段が、前記展開手段が前記閉位置にないとき、前記フレキシブル・ディスプレイ装置の加速度を計測するための手段を備える請求項１７に記載のシステム。
【請求項２１】
前記解放するための手段が、前記展開手段が前記開位置にあるかどうかを判定するための手段と、前記加速度が前記所定の最小加速度限度を超え、前記展開手段が前記開位置にあるとき、前記展開手段を前記開位置から解放するための手段とを備える請求項１７に記載のシステム。
【請求項２２】
前記解放するための手段が、前記展開手段を前記開位置から手動で解放するための手段をさらに備える請求項１７に記載のシステム。
【請求項２３】
前記閉信号を発生させて前記フレキシブル・ディスプレイ装置を前記開位置から解放するためのユーザ操作手段をさらに備える請求項１７に記載のシステム。
【発明の詳細な説明】
【技術分野】
【０００１】
本発明は、一般的には、フレキシブル・ディスプレイ装置に関し、より具体的には、自動閉鎖可能なフレキシブル・ディスプレイを提供するフレキシブル・ディスプレイ装置に関する。
【背景技術】
【０００２】
最近、小型化と処理能力の増加が、電子機器の携帯性の大幅な増大を可能としている。複雑な装置がポケット・サイズに縮小されている。消費者は、望むならどこででも、携帯電話、音楽プレーヤ、ゲーム・プレーヤ、静止画および動画用デジタル・カメラ、ＧＰＳロケータなどの装置を持ち運んで用いることができる。さらに、現在では、ほとんどの装置が可撓性のないガラス製光ディスプレイを用いるので、多くの場合、装置のサイズおよび形状要因は、光ディスプレイによって限定される。このようなディスプレイは、かさばり、重く、高価であり、壊れやすい。この壊れやすさはディスプレイのサイズの増大と共に増加するが、ディスプレイのサイズを限定することは、装置の実用性を低減させる。地図など高解像度を必要とするコンテンツは、小型ディスプレイ上では表示することができない。
【０００３】
より大幅な携帯性を得ると共に、ガラス製光ディスプレイの欠点を避けるために、フレキシブル・ディスプレイが開発された。通常、フレキシブル・ディスプレイは、使用しないとき、閉位置で保管のために円筒の周りに巻かれるかまたはハウジング部の中に折り畳み可能な可撓性のある材料から作製される。フレキシブル・ディスプレイを用いるためには、ユーザは、一方の手でフレキシブル・ディスプレイの露出した端部を引き、他方の手でハウジングを把持する。フレキシブル・ディスプレイは、所望の内容を表示するために開位置に切り替える。多くの場合、フレキシブル・ディスプレイ装置は、開位置でフレキシブル・ディスプレイを保持するために、しばしば、軽量のスプレッダ機構体［spreader mechanism―展開機構―］を用いる。
【０００４】
フレキシブル・ディスプレイとスプレッダ機構体とが、フレキシブル・ディスプレイ装置が閉位置にあるとき、ハウジングの中に取り囲まれ、良好に保護されるが、フレキシブル・ディスプレイ装置は、開位置にあるとき、損傷を受けやすい。フレキシブル・ディスプレイは、破られるかまたは穴を開けられることがあり、スプレッダ機構体は、フレキシブル・ディスプレイ装置が開位置にある間に床に落とされる場合、曲げられるかまたはねじられることがある。衝撃吸収材料と重い構成部品を付加することによってフレキシブル・ディスプレイ装置をより堅牢にする試みがあったが、これは、フレキシブル・ディスプレイ装置をより重くし、携帯性を低下させる。
【発明の開示】
【発明が解決しようとする課題】
【０００５】
上述の不利点を克服するフレキシブル・ディスプレイ装置を有することが望ましい。
【課題を解決するための手段】
【０００６】
本発明の１つの態様は、フレキシブル・ディスプレイと、フレキシブル・ディスプレイに動作可能に連結されたスプレッダ機構体であって開位置でこのスプレッダ機構体を保持するためのラッチ・アッセンブリを有するスプレッダ機構体と、加速度信号を発生させる加速度センサと、加速度信号が所定の加速度限度を超えるとき、加速度信号に応じて閉信号を発生させる加速度プロセッサとを含むフレキシブル・ディスプレイ装置を提供する。このラッチ・アッセンブリは、閉信号に応じてスプレッダ機構体を開位置から解放する。
【０００７】
本発明の別の態様は、開位置と閉位置とを有するフレキシブル・ディスプレイ装置を自動で閉めるための方法であって、フレキシブル・ディスプレイ装置の加速度を計測することと、加速度が所定の最小加速度限度を超えるかどうかを判定することと、加速度が所定の最小加速度限度を超えるとき、フレキシブル・ディスプレイ装置を開位置から解放することとを含む方法を提供する。
【０００８】
本発明の別の態様は、フレキシブル・ディスプレイ展開手段を有し、この展開手段が開位置および閉位置を有するフレキシブル・ディスプレイ装置と、フレキシブル・ディスプレイ装置の加速度を計測するための手段と、加速度が所定の最小加速度限度を超えるかどうかを判定するための手段と、加速度が所定の最小加速度限度を超えるとき、展開手段を開位置から解放するための手段とを含むフレキシブル・ディスプレイ装置システムを提供する。
【０００９】
本発明の上述および他の特徴ならびに利点は、以降の現在好ましい実施形態の詳細説明から添付図面とともに読まれてさらに明らかとなるであろう。詳細説明および図面は、本発明を限定するよりむしろ本発明を単に例証するものであり、本発明の範囲は添付された特許請求の範囲およびこの均等物によって定義される。
【発明を実施するための最良の形態】
【００１０】
図１は、本発明により製造されたフレキシブル・ディスプレイ装置の拡大された構造の正面図である。この実施例では、フレキシブル・ディスプレイ装置が落とされたときに、フレキシブル・ディスプレイ装置はラッチ・アッセンブリの中のコイルを用いて、スプレッダ機構体を開位置から磁気的に解放させている。
【００１１】
フレキシブル・ディスプレイ装置３０は、第１のフレーム３２と、第２のフレーム３４と、フレキシブル・ディスプレイ３８と、スプレッダ機構体５０とを含む。スプレッダ機構体５０は、フレキシブル・ディスプレイ装置３０が示されるように開位置にあるとき、平面構造にフレキシブル・ディスプレイ３８を保持するために第１のフレーム３２と第２のフレーム３４とを介してフレキシブル・ディスプレイ３８に動作可能に連結される。スプレッダ機構体５０は、開位置でスプレッダ機構体５０を保持するラッチ・アッセンブリ３６を有する。加速度センサが、フレキシブル・ディスプレイ装置３０の質量中心に対する加速度信号などフレキシブル・ディスプレイ装置３０に対する加速度信号を生成する。加速度プロセッサが、加速度信号がｇすなわち９．８ｍ／ｓｅｃ２の重力加速度の何分の一かなどの最小加速度限度を超えると、加速度信号に応じて閉信号を発生させる。ラッチ・アッセンブリ３６は、閉信号に応じてスプレッダ機構体５０を開位置から解放する。一実施形態では、ラッチ・アッセンブリ３６は受動的であり、この受動的とは、本明細書で所与の位置を保持するためにエネルギー入力を必要としないものとして定義される。例えば、ラッチ・アッセンブリ３６は、エネルギー入力なしに開位置でスプレッダ機構体５０を保持することができる点において受動的である。
【００１２】
フレキシブル・ディスプレイ３８は、電子ペーパー、電子インク・ディスプレイ、ポリマー・ビジョン・ディスプレイ［polymer vision display］エレクトロウェッティング・ディスプレイ［electro-wetting display］、ポリマー発光ダイオード［Poly LED］・ディスプレイ、有機発光ダイオード（ＯＬＥＤ）・ディスプレイ、階層構造化液晶（ＬＣ）ディスプレイなど図形情報を表示することができるいかなるフレキシブル・ディスプレイであってもよい。フレキシブル・ディスプレイ３８は、図形情報を表示するには不透明であってよいが、説明を明瞭にするために透明なものとして示される。通常、第１のフレーム３２と第２のフレーム３４とは、フレキシブル・ディスプレイ装置３０が閉位置にあるとき、フレキシブル・ディスプレイ３８とスプレッダ機構体５０とを取り囲むために対合可能なハウジング部（図示せず）を含んでいる。この実施例では、フレキシブル・ディスプレイ３８は、閉位置での保管のために第２のフレーム３４の軸（図示せず）の周りを回転する。この軸は、フレキシブル・ディスプレイ３８の上の張力を保持し、開位置から閉位置に向かってスプレッダ機構体５０を付勢するために負荷がかけられたばねである。別の実施形態では、フレキシブル・ディスプレイ３８は、フレキシブル・ディスプレイ装置３０が閉位置にあるとき、折り畳まれる。フレキシブル・ディスプレイ装置３０は地球規模測位システム（ＧＰＳ）受信機、移動電話、携帯端末（ＰＤＡ）、電子書籍リーダ、フォト・ビューア［photo viewer］、ＭＰ３プレーヤ、ニュース・アラート・ビューア［news alert viewer］、ストリーミング・ビデオ・ビューア［streaming video viewer］、ビデオ電話会議装置、遠隔制御、娯楽番組ガイドなど情報を表示するいかなる電子装置であってもよい。
【００１３】
同様の要素が図１と同様の参照符号を共有する図２は、本発明により製造された図１のフレキシブル・ディスプレイ装置のためのラッチ・アッセンブリの詳細図である。この実施例では、ラッチ・アッセンブリ３６は、開位置でスプレッダ機構体５０を保持するために磁石６２を用い、スプレッダ機構体５０を解放するためにコイル６４を用いる。
【００１４】
ラッチ・アッセンブリ３６は、スプレッダ・レバー６０と、磁石６２と、コイル６４とを含む。スプレッダ・レバー６０は、スプレッダ機構体５０の一部であり、ピン６６によって第１のフレーム３２に枢動可能に取り付けられる。スプレッダ・レバー６０は、スプレッダ機構体５０が開位置にあるとき、磁石６２が磁石６２に対してスプレッダ・レバー６０を保持するように、鉄、ニッケル、コバルト、強磁性合金など強磁性材料から形成され、または強磁性体材料を含む。当業者ならば磁石６２が電磁石であってよいことを理解するであろうが、磁石６２は典型的には永久磁石である。コイル６４は、励磁されたコイル６４からのコイル磁界が磁石６２からスプレッダ・レバー６０を解放するために必要な程度に磁石６２の磁石磁界を相殺するように、磁石６２の上または近くに配置される。一実施形態では、コイル６４は磁石６２の軸方向長さの周りに巻かれる。当業者ならば、磁石６２とコイル６４とが、コイル磁界が磁石磁界を十分に相殺することができる限り、所望のいかなる配置にあってもよいことを理解するであろう。コイル６４は、コイル６４を励磁し、スプレッダ機構体５０のスプレッダ・レバー６０を解放するために閉信号を与える加速度プロセッサ（図示せず）に動作可能に連結される。フレキシブル・ディスプレイ装置が落とされるとき、加速度センサからの加速度信号が所定の最小加速度限度を超えると、閉信号が生成される。
【００１５】
作動中に、使用のためフレキシブル・ディスプレイを表示するためにスプレッダ機構体５０が開位置に移動されると、磁石６２はスプレッダ・レバー６０と係合する。磁石６２は、フレキシブル・ディスプレイ装置を閉めようと試みるフレキシブル・ディスプレイの上の張力に対抗して開位置でスプレッダ機構体５０を保持する。フレキシブル・ディスプレイ装置が落とされると、コイル６４は、コイル６４を励磁するために加速度プロセッサから閉信号を受ける。コイル６４の磁界は磁石６２の磁界を打ち消し、これにより、開位置でスプレッダ機構体５０を保持するスプレッダ・レバー６０を解放する。フレキシブル・ディスプレイの上の張力は、スプレッダ機構体５０とフレキシブル・ディスプレイとがフレキシブル・ディスプレイ装置のハウジングの中に取り囲まれ保護されるように、閉位置にスプレッダ機構体５０を移動させる。通常、フレキシブル・ディスプレイ装置は、床に衝突する前に閉位置にある。一実施形態では、ラッチ・アッセンブリ３６は、ラッチ・アッセンブリ３６の解放がフレキシブル・ディスプレイ装置を閉めるために手動で実行されてよいように機構体を含む。例えば、スプレッダ・レバー６０は、フレキシブル・ディスプレイ装置のハウジングから突出することができ、ユーザは、スプレッダ・レバー６０を押し磁石６２から離すことによって磁石６２からスプレッダ・レバー６０を手動で解放することができる。別の実施形態では、ラッチ・アッセンブリ３６は、フレキシブル・ディスプレイ装置を閉めるためにユーザによって作動されてもよい。例えば、閉信号としてコイル６４に電力を供給するためにボタンまたは他のスイッチを押すことによってコイル６４は励磁されてもよい。
【００１６】
同様の要素が図１と同様の参照符号を共有する図３は、本発明により製造された別のフレキシブル・ディスプレイ装置の拡大された構造の正面図である。この実施例では、フレキシブル・ディスプレイ装置は、フレキシブル・ディスプレイ装置が落とされると、スプレッダ機構体を開位置から機械的に解放するためにラッチ・アッセンブリの中でソレノイドを用いる。フレキシブル・ディスプレイ装置３０は、第１のフレーム３２と、第２のフレーム３４と、フレキシブル・ディスプレイ３８と、スプレッダ機構体５０とを含む。スプレッダ機構体５０は、フレキシブル・ディスプレイ装置３０が示されるように開位置にあるとき、平面構造にフレキシブル・ディスプレイ３８を保持するために第１のフレーム３２と第２のフレーム３４とを介してフレキシブル・ディスプレイ３８に動作可能に連結される。スプレッダ機構体５０は、開位置でスプレッダ機構体５０を保持するラッチ・アッセンブリ３６を有する。
【００１７】
図４は、本発明により製造された図３のフレキシブル・ディスプレイ装置のためのラッチ・アッセンブリの詳細図である。この実施例では、ラッチ・アッセンブリ３６は、開位置でスプレッダ機構体５０を保持するために伝達レバー９０と、ばね８６とを用い、スプレッダ機構体５０を解放するためにソレノイド８０を用いる。ラッチ・アッセンブリ３６はラッチをかけた位置で示され、すなわち、スプレッダ・レバー６０は、開位置でスプレッダ機構体５０を保持するために伝達レバー９０でラッチをかけられる。
【００１８】
ラッチ・アッセンブリ３６は、スプレッダ・レバー６０と、伝達レバー９０と、ばね８６と、ソレノイド８０とを含む。スプレッダ・レバー６０は、スプレッダ機構体５０の一部であり、ピン６６によって第１のフレーム３２に枢動可能に取り付けられる。伝達レバー９０は、アーム９２と、掛け金９４とを含む。伝達レバー９０は、伝達ピン８８によって第１のフレーム３２に枢動可能に取り付けられる。スプレッダ・レバー６０は、スプレッダ機構体５０が開位置に配置されると、ラッチをかけた位置で伝達レバー９０の掛け金９４と係合する。ばね８６は、適所でスプレッダ・レバー６０を係止するために伝達レバー９０のアーム９２を付勢する。ソレノイド・コイル８２と、ソレノイド・プランジャ８４とを有するソレノイド８０は、ソレノイド・プランジャ８４の動きが伝達レバー９０からスプレッダ・レバー６０を解放するように配置される。伝達レバー９０はソレノイド・プランジャ８４の動きを増幅する。ソレノイド・コイル８２は、ソレノイド・コイル８２を励磁し、スプレッダ機構体５０のスプレッダ・レバー６０を解放するために閉信号を与える加速度プロセッサ（図示せず）に動作可能に連結される。閉信号は、フレキシブル・ディスプレイ装置が落とされた際に加速度センサからの加速度信号が所定の加速度限度を超えると、発生する。
【００１９】
作動中、使用のためフレキシブル・ディスプレイを表示するためにスプレッダ機構体５０が開位置に移動されると、伝達レバー９０の掛け金９４は、スプレッダ・レバー６０と係合する。掛け金９４と係合するスプレッダ・レバー６０の表面は、スプレッダ・レバー６０が、掛け金９４が係止するラッチをかけた位置の中に容易に移動することを可能とするために丸みが与えられてもよい。掛け金９４は、フレキシブル・ディスプレイ装置を閉めようと試みるフレキシブル・ディスプレイの上の張力に対抗して開位置でスプレッダ機構体５０を保持する。フレキシブル・ディスプレイ装置が落とされると、ソレノイド・コイル８２はソレノイド・コイル８２を励磁するために加速度プロセッサから閉信号を受ける。ソレノイド・プランジャ８４からの力はばね８６からの力に打ち勝ち、これにより、掛け金９４からスプレッダ・レバー６０を解放する。フレキシブル・ディスプレイの上の張力は、スプレッダ機構体５０とフレキシブル・ディスプレイとが、フレキシブル・ディスプレイ装置のハウジングの中に取り囲まれ保護されるように、閉位置にスプレッダ機構体５０を移動させる。通常、フレキシブル・ディスプレイ装置は、床と衝突する前に閉位置にある。一実施形態では、ラッチ・アッセンブリ３６の解放がフレキシブル・ディスプレイ装置を閉めるために手動で実行されてもよいように、ラッチ・アッセンブリ３６は機構体を含む。例えば、アーム９２またはアーム９２の延長部は、フレキシブル・ディスプレイ装置のハウジングから突出することができ、ユーザは、アーム９２を押すことによって掛け金９４からスプレッダ・レバー６０を手動で解放することができる。別の実施形態では、ラッチ・アッセンブリ３６は、フレキシブル・ディスプレイ装置を閉めるためにユーザによって作動されてもよい。例えば、ソレノイド・コイル８２は、ソレノイド・コイル８２に電力を供給するためにボタンまたは他のスイッチを押すことによって励磁されてもよい。
【００２０】
図５は、本発明により製造されたフレキシブル・ディスプレイ装置のための制御回路のブロック図である。制御回路１００は、フレキシブル・ディスプレイ装置の加速度を検出するために加速度センサ１０２を用いる。加速度センサ１０２は加速度信号１０４を発生させ、この加速度信号１０４は加速度プロセッサ１０６に与えられる。加速度プロセッサ１０６は、加速度信号１０４に応じて、加速度信号１０４が所定の最大加速度限度を超えると、フレキシブル・ディスプレイ装置が落とされたことを示す閉信号１０８を発生させる。閉信号１０８はラッチ・アッセンブリ３６に与えられ、このラッチ・アッセンブリ３６は、閉信号に応じてスプレッダ機構体を開位置から解放し、フレキシブル・ディスプレイの上の張力がフレキシブル・ディスプレイ装置を閉めることを可能とする。一実施形態では、制御回路１００は、フレキシブル・ディスプレイ装置を開位置から解放するようにラッチ・アッセンブリ３６に閉信号１０８を発生させるためにユーザ操作装置としてオプションのボタン１１０または他のスイッチを含むことができる。
【００２１】
加速度プロセッサ１０６は、加速度信号に応じて閉信号を与えるために動作可能なデータ・プロセッサ、マイクロプロセッサ、アナログ回路など、いかなるプロセッサであってもよい。加速度プロセッサ１０６は、図形表示、ＧＰＳ情報処理または他の機能など装置機能を実行するためにフレキシブル・ディスプレイ装置で用いられるメイン・プロセッサの一部であってよく、あるいは加速度信号に応じて閉信号を与えるために専用の独立したプロセッサであってもよい。具体例の加速度センサには、ニューヨーク州、イサカのキオニクス社［Kionix, Inc.］からのキオニクスＫＸＰ７４−１０５０と、テキサス州、オースティンのフリースケール・セミコンダクタ社［Freescale Semiconductor, Inc.］からのフリースケール、ＭＭＡ７２６０Ｑと、マサチューセッツ州、ノース・アンドーバーのメムシック社［Memsic, inc.］からのメムシックＭＸＡ２５００Ｇ＆Ｍとが含まれる。
【００２２】
図６は、本発明により製造されたフレキシブル・ディスプレイ装置のための制御方法の流れ図である。この制御方法は、加速度センサからの加速度信号を用いて加速度プロセッサによって実施され、閉信号を発生させる。
【００２３】
この実施例では、制御方法２００は、フレキシブル・ディスプレイ装置が閉位置にないとき、ループで作動する。２０２で、加速度センサは、フレキシブル・ディスプレイ装置の質量中心の加速度を計測するなどしてフレキシブル・ディスプレイ装置の加速度を計測する。２０４で、加速度の絶対値が所定の最小加速度限度ａｍｉｎより大きいかどうかが判定される。一実施形態では、所定の最小加速度限度ａｍｉｎは、約９．５ｍ／ｓｅｃ２など重力加速度の大きな部分である。一実施形態では、２０４で、加速度の絶対値が所定の最大加速度限度ａｍａｘより小さいかどうかも判定される。一実施形態では、所定の最大加速度限度ａｍａｘは、約１０．０ｍ／ｓｅｃ２など重力加速度より僅かに大きい。２０６で、加速度の絶対値が所定の最小加速度限度より大きくないとき、カウンタｉが初期値にリセットされ、制御方法２００は、２０２で、フレキシブル・ディスプレイ装置の加速度を計測することを続ける。２０８で、加速度の絶対値が所定の最小加速度限度より大きいときに、カウンタｉは増分される。
【００２４】
２１０で、カウンタｉが５つのインターバルなど所定の数のインターバルより大きいかどうかが判定される。所定の数のインターバルは１つまたは複数であってよい。カウンタｉが所定の数のインターバルより少ないかまたは等しいとき、制御方法２００は、２０２で、フレキシブル・ディスプレイ装置の加速度を計測することを続ける。カウンタｉが所定の数のインターバルより大きいとき、閉信号が発生されてよい。一実施形態では、２１２で、フレキシブル・ディスプレイ装置が開位置にあるかどうかが任意選択により判定される。フレキシブル・ディスプレイ装置が開位置にあるとき、２１４で、フレキシブル・ディスプレイ装置は、閉信号に応じてラッチ・アッセンブリを解放するなど開位置から解放される。フレキシブル・ディスプレイ装置が開位置にないとき、２１６で、カウンタｉは初期値にリセットされ、制御方法２００は、２０２で、フレキシブル・ディスプレイ装置の加速度を計測することを続ける。当業者ならば、２１２で、フレキシブル・ディスプレイ装置が開位置にあるかどうかを判定することが省かれてよく、カウンタｉがフレキシブル・ディスプレイ装置の位置に関係なく所定の数のインターバルより大きいとき、フレキシブル・ディスプレイ装置が開位置から解放されてよいことを理解するであろう。
【００２５】
ループ時間は、フレキシブル・ディスプレイ装置を閉める前にフレキシブル・ディスプレイ装置が落とされ、一方、フレキシブル・ディスプレイ装置が床を打つ前にフレキシブル・ディスプレイ装置を閉めることを可能とすることを保証するように選択されてよい。ループ時間はクロックの機能を果たし、所定の数のインターバルは、フレキシブル・ディスプレイ装置が落とされたかどうかを判定するためのタイマ設定値の機能を果たす。一実施形態では、ループ時間は約２０ミリ秒である。１．２５メートルの落下は地上で約５００ミリ秒を要する。２０ミリ秒というループ時間と、５つのインターバルという所定の数のインターバルとで、閉信号は、フレキシブル・ディスプレイ装置が落とされた後、１００ミリ秒で発生する。これは、フレキシブル・ディスプレイ装置が床を打つ前に閉まるのに５００引く１００ミリ秒すなわち４００ミリ秒を残す。当業者ならば、ループ時間と所定の数のインターバルとが特定の所望の用途のために選択されてよいことを理解するであろう。値がａｍｉｎとａｍａｘの間にある所定の数のインターバルは、計測値が実際に落下であって同時発生でないことを確認するために１つのインターバルより大きな値にセットされてよい。通常、ディスプレイは、特定の期間、ａｍｉｎとａｍａｘの間にあるとき、解放される。
【００２６】
所定の最小加速度限度ａｍｉｎに加えて所定の最大加速度限度ａｍａｘを使用することは、加速度の絶対値が異常とみなされる加速度範囲を確立し、加速度が、所定の時間または所定の数のインターバルに関してその帯域内にあるときに、閉信号が発生することになる。所定の最大加速度限度ａｍａｘの使用は、フレキシブル・ディスプレイ装置が振動されているか衝突されているが落とされてはいないときに、閉信号を発生させることと、フレキシブル・ディスプレイ装置を閉めることとを防止する。ａｍｉｎとａｍａｘの間の範囲は、加速度センサの正確さを可能とするように、すなわち、その範囲が加速度センサの最大誤差より大きいことが確実であるように選択されてよい。所定の最大加速度限度ａｍａｘは、加速度が所定の最大加速度限度ａｍａｘを超えると、開位置からのフレキシブル・ディスプレイ装置の解放を抑止することによって機能することができる。
【００２７】
本明細書で開示された本発明の実施形態が好ましいものと現在考えられるが、様々な変更と修正とが、本発明の範囲から逸脱せずに行われ得る。本発明の範囲は添付の特許請求の範囲に示され、均等物の意味と範囲との中にあるすべての変更は、中に含有されるよう意図されている。したがって、明細書と図面とは、例証への対応と考えられ、添付の特許請求の範囲を限定するよう意図されるものではない。
【００２８】
添付の特許請求の範囲を解釈する際に、以下のａ）〜ｈ）のことを理解されたい：
ａ）単語「備える（comprising）」が、所与の請求項に記載されている以外の要素や行為の存在を排除しないこと、
ｂ）要素に先行する不定冠詞「ａ」や「ａｎ」は、複数のそのような要素の存在を排除しないこと、
ｃ）特許請求の範囲の中のいかなる参照符号もそれらの範囲を限定しないこと、
ｄ）いくつかの「手段（means）」が、同一の項目あるいはハードウェアまたはソフトウェアの実施された構造体または機能によって表されてよいこと、
ｅ）開示された要素の何れもがハードウェア部（例えば、ディスクリート電子回路と、集積電子回路を含めて）と、ソフトウェア部（例えば、コンピュータ・プログラミング）と、これらの任意の組合せとから成っていてもよいこと、
ｆ）ハードウェア部がアナログ部およびデジタル部の１つまたは両方から成っていてもよいこと、
ｇ）開示された装置またはこれら装置の一部のいずれもが、別途具体的に記載されていなければ、共に組み合わされるかまたはさらに部分に分けられてよいこと、
ｈ）行為の具体的なシーケンスは、具体的に示されていなければ、要求されるよう意図されるものではないこと。
【図面の簡単な説明】
【００２９】
【図１】本発明により製造されたフレキシブル・ディスプレイ装置の拡大された構造の正面図である。
【図２】本発明により製造された図１のフレキシブル・ディスプレイ装置のためのラッチ・アッセンブリの詳細図である。
【図３】本発明により製造された別のフレキシブル・ディスプレイ装置の拡大された構造の正面図である。
【図４】本発明により製造された図３のフレキシブル・ディスプレイ装置のためのラッチ・アッセンブリの詳細図である。
【図５】本発明により製造されたフレキシブル・ディスプレイ装置のための制御回路のブロック図である。
【図６】本発明により製造されたフレキシブル・ディスプレイ装置のための制御方法の流れ図である。
【図１】
2009541791.tif 000003
【図２】
2009541791.tif 000004
【図３】
2009541791.tif 000005
【図４】
2009541791.tif 000006
【図５】
2009541791.tif 000007
【図６】
2009541791.tif 000008
【国際調査報告】
2009541791.tif 000009
2009541791.tif 000010